(57)【要約】システムは、資源分配システムの分配ラインに沿って分配された資源のパラメータを測定するように構成されたセンサを含むデバイスと、一つ以上の認証デバイスとを、含み得る。各認証デバイスは、分配ラインに沿って分配された資源のパラメータ、又は関連パラメータを測定するように構成されたセンサを含む。デバイスは、パラメータが範囲外の状態であることを検出すると、パラメータまたは関連パラメータに関する情報を要求する問い合わせを認証デバイスに送信する。パラメータまたは関連パラメータに関する情報も範囲外の状態を示す場合、システムは範囲外の状態を認証する。状態を認証した後、システムは、パラメータを調整するべく資源調節デバイスを制御し得る。
2021507670.tif 000002
【特許請求の範囲】
【請求項１】
資源分配システムの状態を検出するシステムであって、
前記システムは、
資源分配システムの第１の分配ラインに沿って分配される資源の第１のパラメータを測定するように構成されたセンサを含むデバイスと、
複数の認証デバイスであって、各認証デバイスが、第１の分配ラインに沿って分配される資源の第１のパラメータを測定するように構成されたセンサを含む、複数の認証デバイスと
を含み、
前記デバイスと前記認証デバイスの各々とが、前記資源分配システムの第１の分配ラインに沿った様々な点で前記資源の第１のパラメータを測定し、
前記デバイスと前記認証デバイスの各々とが、前記無線通信ネットワーク上の様々なノードに関連付けられており、
前記デバイスは、
資源の第１のパラメータの第１の測定値を閾値範囲の値と比較することと、
前記第１のパラメータの第１の測定値が閾値範囲外の値である場合に、前記デバイスにて範囲外の状態が存在すると判定し、前記少なくとも一つの認証デバイスによって測定される前記第１のパラメータの第２の測定値に関する情報を要求する問い合わせを無線通信ネットワークを介して前記認証デバイスの少なくとも一つに送信することと、
前記無線通信ネットワークを介して、前記第１のパラメータの第２の測定値に関する情報を含む前記問い合わせに対する応答を受信することと、
前記第２の測定値に関する情報が、前記少なくとも一つの認証デバイスにおける範囲外の状態を示す場合に、前記範囲外の状態を認証することと、並びに、
前記第１のパラメータを調整するように前記資源調節デバイスを制御することと
を行うように構成されている、
システム。
【請求項２】
請求項１に記載のシステムであって、
前記デバイスは、更に、
前記第１のパラメータの第２の測定値が範囲外のパラメータを含まない場合に、前記第１のパラメータの第３の測定値を要求する第２の問い合わせを前記認証デバイスの少なくとも一つに前記無線通信ネットワークを介して送信することと、並びに、
前記第１のパラメータの第３の測定値が範囲外のパラメータを示す場合に、前記範囲外の状態を認証して、前記第１のパラメータを調整するように前記資源調節デバイスを制御することと
を行うように構成されている、
システム。
【請求項３】
請求項１に記載のシステムであって、
前記資源分配システムが、更に、ヘッドエンドシステムを含み、
前記デバイスは、更に、
ワイヤレス通信ネットワークを介して、ヘッドエンドシステムに、第１の測定値と第２の測定値とを送信すること
を行うように構成されている、
システム。
【請求項４】
請求項１に記載のシステムであって、
前記デバイスが認証デバイスリストを維持しており、前記認証デバイスリストは、複数の認証デバイスの複数のエントリを含み、
前記デバイスは、更に、
複数の認証デバイスのうちの一つが、（ｉ）もはやアクティブではない、若しくは、（ｉｉ）前記資源の第１のパラメータを測定するようにもはや構成されていない、と判定すること応答して、
複数の認証デバイスのうちの一つを前記認証デバイスリストから除去するように構成されている、
システム。
【請求項５】
請求項１に記載のシステムであって、
前記資源分配システムが、更に、ヘッドエンドシステムを含み、
前記資源が電力であり、前記第１のパラメータが力率であり、前記閾値範囲が力率の範囲に対応し、
前記デバイスが、更に、前記無線通信ネットワークを介して、力率の調整を引き起こすコマンドを送信するように構成されている、
システム。
【請求項６】
請求項１に記載のシステムであって、
前記デバイスが認証デバイスリストを維持しており、前記資源が三相電力であり、前記第１のパラメータが三相配電の選択されたフェーズの電圧であり、前記状態が電圧閾値を表し、前記複数の認証デバイスの各々がフェーズを備え、
前記デバイスが、更に、
前記認証デバイスリストから、選択されたフェーズの、複数のデバイスを判定することと、並びに、
前記無線通信ネットワークを介して、前記選択されたフェーズの、複数のデバイスのうちの少なくとも一つに、前記選択されたフェーズの、複数のデバイスのうちの少なくとも一つによって測定される前記第１のパラメータの第２の測定値を要求する問い合わせを送信することと
を行うように構成されている、
システム。
【請求項７】
請求項１に記載のシステムであって、
前記資源が電力であり、前記資源の第１のパラメータが電力消費量であり、前記状態は、前記第１のパラメータが閾値範囲外であることを検出することから判定され、前記閾値範囲は、最大電力消費量を規定し、前記デバイスは、更に、是正措置を講じるように構成され、前記是正措置は更に、電力を切断することを含む、
システム。
【請求項８】
請求項１に記載のシステムであって、
前記資源が電力であり、前記複数の認証デバイスは、様々な施設に関連付けられる認証デバイスを含み、前記第１のパラメータが電力消費量であり、前記様々な施設に関連付けられる認証デバイスに問い合わせを行い、
前記第１のパラメータを調整するために前記資源調節デバイスを制御することは、前記デバイスに関連付けられる施設の電力を切断することを、含む、
システム。
【請求項９】
資源分配ネットワークの状態を検出し検証する方法であって、
資源分配ネットワークの第１の分配ラインに沿って分配される資源の第１のパラメータの値を判定するステップと、
前記第１のパラメータの値が第１の閾値範囲外であるかどうかを判定するステップと、
前記第１のパラメータの値が前記第１の閾値範囲外である場合、少なくとも一つの認証デバイスを識別した上で、前記少なくとも一つの認証デバイスによって検出された前記第１のパラメータの値に関する情報を要求する問い合わせを、無線通信ネットワークを介して前記少なくとも一つの認証デバイスに送信するステップであって、ここで前記少なくとも一つの認証デバイスは第２の分配ラインに沿って配置され、前記無線通信ネットワークは前記資源分配ネットワークとは別個のものである、送信するステップと、
前記少なくとも一つの認証デバイスによって検出された前記第１のパラメータの第２の値に関する情報を含む、前記問い合わせに対する応答を、前記無線通信ネットワークを介して受信するステップと
前記少なくとも一つの認証デバイスによって検出された前記第１のパラメータの前記第２の値に関する情報が、前記第１のパラメータが第２の閾値範囲外であることを示す場合、前記第１のパラメータに対して、範囲外の状態を認証するステップと、並びに、
前記第１の分配ラインに沿った資源の流れを調整するべく、前記資源分配ネットワーク上のデバイスを制御するステップと
を含む、方法。
【請求項１０】
請求項９に記載の方法であって、
前記資源は三相電力であり、
第１のパラメータは電圧であり、
第１の分配ラインは、電力の第１相を配電し、
第２の分配ラインは、電力の第２相を配電し、
第１の閾値範囲は、前記第１相に基づくものであり、
第２の閾値範囲は、前記第２相に基づくものである、
方法。
【請求項１１】
請求項９に記載の方法であって、
前記第２の分配ラインは、前記第１の分配ラインよりも上流側に位置し、
前記第１の閾値範囲と前記第２の閾値範囲とは、異なり、前記第１の分配ラインと前記第２の分配ラインとの相対的な位置関係に基づいている、
方法。
【請求項１２】
請求項９に記載の方法であって、
前記少なくとも１つの認証デバイスによって検出された前記第１のパラメータの第２の値に関する情報を含む、問い合わせに対する応答を、前記無線通信ネットワークを介して受信するステップは、
前記少なくとも一つの認証デバイスが、前記第１のパラメータに対して、範囲外の状態を検出したことを示すことを受信するステップ、若しくは、
前記少なくとも一つの認証デバイスによって検出された前記第１のパラメータの第２の値を受信するステップ
を含む、方法。
【請求項１３】
請求項９に記載の方法であって、
範囲外の状態を認証するステップは、
少なくとも二つの認証デバイスが、前記第１のパラメータが前記第２の閾値範囲外であることを検出したことを示す、前記少なくとも二つの認証デバイスからの応答を、受信するステップを含む、方法。
【請求項１４】
資源分配ネットワークの状態を検出し検証する方法であって、
第１の施設における資源分配ネットワークの第１の分配ラインに沿って分配される資源の第１のパラメータの値を判定するステップと、
前記第１のパラメータの値が閾値範囲外であるかどうかを判定するステップと、
前記第１のパラメータの値が閾値範囲外である場合、複数の認証デバイスを識別し、前記認証デバイスの各々によって検出された前記第１のパラメータの値に関する情報を要求する問い合わせを、無線通信ネットワークを介して前記認証デバイスに送信するステップであって、ここで前記認証デバイスの各々は異なる施設にて位置しており、前記無線通信ネットワークは前記資源分配ネットワークとは別個のものである、送信するステップと、
前記無線通信ネットワークを介して前記問い合わせに対する複数の応答を受信するステップであって、各応答が、前記認証デバイスの夫々の一つによって検出された前記第１のパラメータの値に関する情報を含む、受信するステップと、
前記認証デバイスによって検出された前記第１のパラメータの値に関する情報が、前記第１のパラメータが第２の閾値範囲外であることを示す場合に、前記第１のパラメータに対して、範囲外の状態を認証するステップと、並びに、
前記第１のパラメータを調整するべく、前記資源分配ネットワーク上のデバイスを制御するステップと
を含む、方法。
【請求項１５】
請求項１４に記載の方法であって、
前記複数の応答から、範囲外の状態を示す応答のサブセットを判定するステップと、
前記応答のサブセットに基づいて、範囲外の状態によって影響を受ける地理的領域を判定するステップと
を更に含む、方法。
【請求項１６】
請求項１４に記載の方法であって、
前記方法は、第１の施設に配置されるメータによって実行され、資源が電力であり、第１のパラメータが温度であり、前記複数の認証デバイスが異なる構内に関連付けられて、相互に、及びメータに、近接して配置されており、
前記方法は更に、
前記認証デバイスから受信した複数の応答が、第１のパラメータが第２の閾値範囲内にあるということを示す場合に、前記メータにおいてホットソケット状態を認証するステップと、
電気を切断するためにメータを制御するステップと
含む、方法。
【発明の詳細な説明】
【技術分野】
【０００１】
本発明は、概略、資源分配システムに関し、より具体的には、異なるポイントにて、分配される資源のパラメータを測定し、資源分配システム内の状態を検出および認証するように構成された認証デバイスのシステムに関する。
【背景技術】
【０００２】
水、電力、ガスなどの資源は、資源分散ネットワークを介して資源の消費者に分配される。資源分配ネットワークは複雑であり、資源の可用性は顧客にとって重要である。従って、消費、バランス、動作状態などの資源分配に関連するパラメータの測定をネットワーク内の複数のポイントで行えば、ネットワークアクティビティの完全な図を作成することができる。このような測定により、例えば、資源の可用性を確保したり、効率を改善したり、コストを削減したりするために、範囲外の状態が発生した場合の、修正が可能になる。
【０００３】
資源提供者は、資源分配ネットワークの様々なポイントで範囲外の状態を検出する。範囲外の状態は、最適化を必要とする状態、例えば、効率や分配を改善する状態、異常、若しくは、その他の検出可能な状態、である可能性がある。例えば、資源提供者は、例えば顧客の施設など、資源の配送のポイントで線間電圧を測定し得る。しかし、範囲外の状態が検出された場合、従来のシステムでは、中央システムに対して意思決定、若しくは是正措置を講じることがある。
【発明の概要】
【発明が解決しようとする課題】
【０００４】
しかし、完全に集中化された状態検出および意思決定は、システムが重要な状態に応答するのを遅くする結果となる場合がある。例えば、配電システムの電圧偏差は、顧客がサービス提供者に通知し、技術者が顧客の施設に到着するまで検出されない場合がある。その後、資源提供者は中央の場所で変更を加えることができ、それらの変更はネットワーク全体に伝播し得る。
【課題を解決するための手段】
【０００５】
特定の形態および特徴は、資源分配システム内の状態を検出するためのシステム及び方法を含む。一例では、システムは、資源分配システムの第１の分配ラインに沿って分配される資源の第１のパラメータを測定するように構成されるセンサを含むデバイスである。システムはまた、多数の認証デバイスを含み、各認証デバイスは、第１の分配ラインに沿って分配される資源の第１のパラメータを測定するように構成されたセンサを含む。
【０００６】
一つの形態において、デバイスと、認証デバイスの各々とは、資源分配システムの第１の分配ラインに沿った様々な点で資源の第１のパラメータを測定する。デバイスと、認証デバイスの各々とは、無線通信ネットワーク上の様々なノードに関連付けることができる。デバイスは、資源の第１のパラメータの第１の測定値を、閾値範囲の値と比較するように構成され得る。第１のパラメータの第１の測定値が閾値範囲外の値である場合、デバイスは、範囲外の状態がデバイスに存在すると判定するように構成される。デバイスは、無線通信ネットワークを介して、認証デバイスの少なくとも一つに、認証デバイスによって測定される第１のパラメータの第２の測定値に関する情報を要求する問い合わせを送信する。前記デバイスは、前記無線通信ネットワークを介して前記問い合わせに対する応答を受信するようにさらに構成される。応答は、第１のパラメータの第２の測定値に関する情報を含む。第２の測定値に関する情報が、認証デバイスでの範囲外の状態を示す場合、デバイスは、範囲外の状態を認証し、第１のパラメータを調整するように資源調節デバイスを制御する。
【０００７】
これらの例示の例は、本開示を限定若しくは規定するためではなく、その理解を助けるための例を提示するために、言及されている。更なる例及び更なる説明は、発明の詳細な説明に記載する。
【図面の簡単な説明】
【０００８】
本開示についての、これらの及び他の特徴、態様、及び利点は、添付の図面を参照しつつ以下の発明の詳細な説明を読むと、よりよく理解される。
【図１】図１は、様々なポイントでの認証デバイスを示す資源分配ネットワークの例示の物理トポロジを示す。
【図２】図２は、様々なポイントでの認証デバイスを示す配電ネットワークの例示の物理トポロジを示す。
【図３】図３は、分配検証のための例示のプロセスを示すフローチャートである。
【図４】図４は、通信ネットワークの例示のトポロジを示す。
【図５】図５は、例示の認証デバイステーブルを示す。
【図６】図６は、複数の施設のための例示の認証デバイスを示す。
【図７】図７は、例示の認証デバイスを示す。
【発明を実施するための形態】
【０００９】
本発明の態様は、異なるポイントにて、分配される資源のパラメータを測定し、範囲外の状態を検出及び認証し、是正措置を講じるように構成された認証デバイスのシステムを用いることに関する。認証デバイスは、資源分配ネットワーク全体に配置でき、範囲外の状態の、局所的検出及び是正を提供し得る。認証デバイスは、スマート電気メータやスマート水道メータなど、顧客の施設に配置されるデバイスに含まれている場合や、顧客の施設に関連しない資源分配システムの中間点に配置される場合がある。範囲外の状態を検出した後、認証デバイスは、他の認証デバイスに照会して、アクションを実行する前に範囲外の状態を認証し得る。
【００１０】
例えば、顧客の施設における検証デバイスが、低電圧などの範囲外の状態を検出する場合、検証デバイスは、他の認証デバイスを用いてその状態を認証することができる。例えば、検証デバイスは、同じ分配ライン上の他の認証デバイスに問い合わせて、他の認証デバイスが低電圧の状態を検出したことを確認することができる。範囲外の状態を認証することにより、検証デバイスは、よりよく知らされ、従って範囲外の状態に対処する際により良い決定を行うことができる。認証デバイスは、アラームの鳴動、電源の切断、資源調節デバイスの調整、若しくはヘッドエンドシステムへの通知などの、是正措置を講じ得る。
【００１１】
資源分配ネットワークの終点または中間点における意思決定に対する利点は、より迅速なネットワーク調整、改善される顧客体験、より高い稼働時間及び信頼性、より高い安定性、並びに、資源分配ネットワークを維持するのに必要な労力の削減等のコスト節約を、含む。
【００１２】
例示の資源分配ネットワーク
【００１３】
図１は、ネットワーク内の様々なポイントでの認証デバイスを示す、例示の資源分配ネットワークの物理トポロジを示す。資源分配ネットワーク１００は、状態を測定して、他の認証デバイスで状態を認証し、必要に応じて是正措置を講じることができる、認証デバイスを含む。
【００１４】
資源分配ネットワーク１００は、ソース１０１を含む。ソース１０１は、任意の分配可能な資源、例えば、電気、水、またはガスの供給源であればよい。ソース１０１は、資源をフィーダ１０２に提供する。フィーダ１０２は、資源の分配を制御する分配デバイスである。フィーダ１０２は、資源を分割して、複数の分配ライン、変電所、若しくは顧客の施設に、提供することができる。例えば、図１は、資源を３つの分配ライン１４０〜１４２に分割するフィーダ１０２を示している。分配ラインは、他のフィーダまたは資源スプリッタに供給することができ、例えば、分配ライン１４０〜１４２は夫々スプリッタ１０３〜１０５に供給する。スプリッタ１０５は、分配ライン１４２を分配ライン１４５、１４６、１４７に分割する。分配ラインは、顧客の施設で終端し得る。例えば、分配ライン１４３は施設１１０で終端し、分配ライン１４４は施設１１１で終端し、分配ライン１４５は施設１１２で終端し、分配ライン１４６は施設１１３で終端し、分配ライン１４７は施設１１４で終端する。
【００１５】
認証デバイスは、例えば、認証デバイス１２３〜１２７など、顧客の施設若しくはその近くに、配置され得る。これらのタイプの認証デバイスは、資源の消費を測定するメータに配置または関連付けられ得る。認証デバイスは、例えば、認証デバイス１２０、１２１、１２２など、分配ラインに沿う中間点にて、配置し得る。
【００１６】
認証デバイスは、分配ライン上の範囲外の状態を検出し得る。例えば、認証デバイス１２０は、分配ライン１４０上の範囲外の状態を検出することができる。認証デバイス１２０は、他の認証デバイスが範囲外の状態と一致する状態を検出していることを検証するために、当該他の認証デバイスに問い合わせ得る。他の認証デバイスは、同じ分配ライン上の、若しくは異なる分配ライン上の、状態を検出している可能性がある。例えば、認証デバイス１２０は、異なる分配ライン上に配置される、認証デバイス１２１及び１２２に問い合わせること、又は、同じ分配ライン（図示せず）上の別の認証デバイスに問い合わせることが、できる。範囲外の状態を検証するのに用いられる認証デバイスの選択は、状態に、及び、資源配布ネットワークのトポロジに、依存し得る。
【００１７】
認証デバイスは、他の認証デバイスに問い合わせて範囲外の状態を検証する、開始認証デバイス若しくは開始デバイスであってもよく、又は、認証デバイスは、開始認証デバイスから受信した問い合わせに応答する、応答認証デバイス若しくは応答デバイスであってもよい。認証デバイスは、開始認証デバイスと応答認証デバイスとの両方であってもよいし、開始認証デバイス若しくは応答認証デバイスのみであってもよい。
【００１８】
認証デバイスは範囲外の状態を検証した後、その状態に対処するための措置を取ることができる。措置には、資源の制御、資源分配ネットワークからの切断、負荷の調整、通知の送信、若しくは、アラームの生成が含まれ得る。認証デバイスが範囲外の状態を検証できない場合、その状態に対処するための措置を取ることを控えるか、又は、範囲外の状態を認証しようとするための更なる措置を取ることができる。
【００１９】
認証デバイスは、スマートグリッドやメッシュネットワークなど、認証デバイスが接続性を有する一つ以上のネットワークを介して、互いに、他のデバイスと通信し得る。図４に関してさらに説明すると、認証デバイスは、資源分配ネットワークとは異なるトポロジを使用する通信ネットワークに接続してもよい。
【００２０】
図２は、様々なポイントでの認証デバイスを示す例示の配電ネットワークを示す。配電システム２００は、電源２０１、トランスフォーマ２０２、フィーダ２０３、施設２３０〜２３５、スプリッタ２０５、及び、７つの認証デバイス２２０〜２２６を示す。電源２０１は、例えば、発電所、太陽電池パネル、若しくは他の何らかの電源であってもよい。トランスフォーマ２０２は、電源２０１から出力された電圧を、フィーダ２０３に適したレベルに変換する。フィーダ２０３は、分配ライン２４０〜２４２に給電する。分配ライン２４２は、スプリッタ２０５により受電され、３本の分配ライン２４３、２４４、２４５に分割される。
【００２１】
認証デバイス２２０１〜２２６は、分配ライン、分配デバイス、若しくは、顧客の施設に関連付けられ、電力の配電に関連するパラメータ、例えば、負荷、電圧、電流、消費電力、ボルトアンペア無効（ＶＡＲ）電力、若しくは、温度を検出することができる。例えば、認証デバイス２２０〜２２６は、標準的な１２０ボルトまたは２４０ボルトシステム上の電圧、電流、及び負荷を測定してもよい。
【００２２】
開始認証デバイスは、測定されるパラメータまたは検出される状態に応じて、様々な応答認証デバイスに問い合わせすることができる。或る形態では、開始認証デバイスが、一つのセットの応答認証デバイスに、一つのパラメータ、例えば、電圧について問い合わせる一方で、別のセットの応答認証デバイスに、別のパラメータ、例えば、温度について問い合わせることができる。応答認証デバイスのセットは、施設に関連する認証デバイスと、資源分配ネットワーク上の中間位置に関連する認証デバイスとの、両方を含んでもよい。
【００２３】
応答認証デバイスのセットは、電源に対するデバイスの位置に基づいてもよい。例えば、開始認証デバイス２２６は、分配ライン２４６上の低電圧などの範囲外の状態を検出してもよく、認証デバイスの上流に位置する他の認証デバイス、例えば認証デバイス２２０に問い合わせてもよい。認証デバイス２２６はまた、下流にあるデバイス、例えば認証デバイス２２１、２２２、若しくは、２２３に問い合わせてもよい。開始認証デバイスは、応答認証デバイスからの応答が状態と一致している場合、検出される状態を認証してもよい。応答認証デバイスによって測定されるパラメータの値が開始認証デバイスによって測定されるパラメータの値と異なっていても、応答認証デバイスからの応答は、状態と一致し得る。
【００２４】
応答認証デバイスのセットはまた、以下のうちの一つ以上を含むがこれらに限定されない、他の要因に基づいてもよい。
・同じ地理的領域内の位置
・共通の資源分配デバイスへの接続（例えば、同じフィーダへの接続）
・共通の通信ネットワークデバイスへの接続（例えば、同じコレクタに関連する全てのノード）
・共通のハードウェア構成（例えば、同じタイプのメータを使用する全てのエンドポイント）
・補完的なネットワークデバイス、若しくは分配ラインへの接続（例えば、三相システムの他の相への接続、同相の別の分配ラインへの接続）
或るシナリオでは、開始認証デバイスの位置は、測定される状態と関係しないものであってもよい。開始認証デバイスは、測定される状態を反映する応答認証デバイスからデータを受信してもよい。
【００２５】
応答認証デバイスのセットはまた、データベースの関係に基づいてもよい。例えば、様々なプロトコル若しくは標準を使用する複数のデバイスがある環境では、開始認証デバイスと応答認証デバイスとの間の関係は、応答認証デバイスが開始認証デバイスにより処理され得るデータを持っていることに基づいてもよい。関係はまた、応答認証デバイスが、開始認証デバイスから受信したデータを処理して理解する能力を持っていることに基づいてもよい。
【００２６】
認証デバイス２２４、２２５、及び２２０は、夫々、同じフィーダ２０３に由来する分配ライン２４０、２４１、及び２４２上に配置されている。従って、開始認証デバイス２２４は、応答認証デバイス２２０、２２５に問い合わせることができるが、それは、応答デバイスが、低電圧のような範囲外の状態がフィーダ２０３に由来する他の分配ライン上で発生しているかどうかについて有用な情報を提供し得るからである。他のラインで低電圧が発生しているということは、問題が認証デバイス２２４の上流にある可能性があり、電源２０１若しくはフィーダ２０３が関与している可能性があることを示し得る。或いは、認証デバイス２２０及び２２５が範囲外の状態を検出しない場合には、範囲外の状態は、分配ライン２４０に限定され得る。
【００２７】
或る例では、認証デバイスは、三相配電システムの一つの相のみを分配する分配ラインに関連付けられていてもよい。例えば、３つの分配ライン２４３〜２４５のセットの各々は、三相発電配電システムの異なる相を表してもよい。例えば、分配ライン２４３は第１相を分配してもよく、分配ライン２４４は第２相を分配してもよく、分配ライン２４５は第３相を分配してもよい。開始分配デバイス２２１が範囲外の状態を検出する場合、応答分配デバイス２２２、２２３が異なる相に関連付けられていても、それらに問い合わせてその状態を認証することができる。
【００２８】
認証デバイスは、顧客の施設内に配置されてもよい。例えば、認証デバイスは、スマートメータと統合されてもよい。顧客の施設に配置される認証デバイスは、顧客の施設が通常、資源分配ネットワークの端部にあるため、粒度の高い範囲外の状態の情報を提供することができる。例えば、認証デバイス２２３が施設２３４で停電していると判断する場合、認証デバイス２２３は、認証デバイス２２１及び２２２への問い合わせを開始してもよい。認証デバイス２２１及び２２２は、電力が夫々施設２３２及び２３３で接続されていると応答してもよく、停電が施設２３４に限定されている可能性があるという洞察を提供してもよい。或いは、認証デバイス２２１及び２２２が、施設２３２及び２３３で停電していると応答する場合、停電情報は、停電を報告する一つ以上のデバイスに基づいているため、停電の範囲がよりよく定義され得る。
【００２９】
認証デバイスが範囲外の状態を検証した後、認証デバイスは措置を講じることができる。措置には、資源分配ネットワーク上のデバイスを制御することが含まれてもよい。或る形態では、認証デバイスは、ボルトアンペア無効（ＶＡＲ）電力が範囲外であることを検出して検証し、力率を改善するためにコンデンサバンクを追加若しくは削除し得る。
【００３０】
或る形態では、開始認証デバイスと応答認証デバイスとは同じフェーズにあり得る。例えば、開始認証デバイスと応答認証デバイスは、同じ分配ライン上でＶＡＲを測定するように構成され得る。このような構成では、一つの認証デバイスが開始認証デバイスに対して上流に配置され、別の認証デバイスが下流に配置され得る。
【００３１】
複数のフェーズの負荷をモニタすることは重要である。というのは、例えば、ある種の施設機器が複数のフェーズからの電力を使用し、各フェーズのＶＡＲが一貫していることを必要とするから、である。従って、開始認証デバイスと応答認証デバイスとは、異なるフェーズ間で負荷が一貫しているかどうかを検出するように構成されていてもよい。開始認証デバイスは、第１相の負荷を検出してもよく、種々の応答認証デバイスは、他の相の負荷を検出するように構成されてもよい。このようにして、開始認証デバイスは、他のフェーズに関する負荷情報を得ることができる。認証デバイスは、サービスのポイント、即ち、施設などの、同様の場所にて、又は、フィーダ若しくは他の分配機器からの同様の距離で、ＶＡＲ、ＶＡなどの状態を測定するように選択されてもよい。
【００３２】
別の形態では、認証デバイスは、範囲外の電圧状態を検出して検証し、電圧を改善するために電圧レギュレータを調整し得る。更に別の形態では、施設に配置される認証デバイスは、範囲外の温度を検出し得る。範囲外の温度を認証した後、認証デバイスは、施設への電力を切断し得る。これに加えて、又はこれに替えて、認証デバイスは、アラームを通信し、通知を提供し、若しくは、検証された状態に関するメッセージを送信してもよい。
【００３３】
例示の操作方法
【００３４】
図３は、範囲外の状態を検出して検証する検証デバイスによって実行される例示のプロセスを示すフローチャートである。図３は、図１に関して記載されているが、他の構成も可能である。認証デバイス、例えば、認証デバイス１２３は、資源分配ネットワーク１００の第１の分配ライン１４３などに沿って分配される資源の第１のパラメータを測定するように構成されたセンサを使用する。認証デバイスは、無線メッシュネットワークを介して資源分配ネットワーク上の他のデバイスと通信する。
【００３５】
センサによって測定されるパラメータは、分配される資源の種類に基づいて、及び、システム構成によって、変化し得る。例えば、配電システムの場合、パラメータは、資源の可用性（例えば、電気が接続されているかどうか）、電流、電圧、負荷率、力率、温度、消費量、又は、資源分配ネットワークの動作に関連する、若しくはデバイスの状態（例えば、検出される盗難または改ざん）に関連する、他のパラメータを、含み得る。
【００３６】
盗難または改ざんを検出するように構成されたシステムにおいて、一連の認証デバイスは、メータの改ざんを検出することができる。例えば、ある集合住宅では、類似したアパートの電力使用量が類似していることが予想される。二つの、１ベッドルームのアパートは、略同じ量の電力を使用することが予想される。例示のシステムは、電力メータのバンクであってもよい。開始認証デバイスが異常に低い電力消費量を検出した場合、開始認証デバイスは、他のアパートの電力消費量を測定するように構成された認証デバイスに問い合わせを行うことができる。応答認証デバイスが他のアパートで同様に低い電力使用量を検出した場合、開始認証デバイスは、電力消費量が異常ではないと判断してもよい。対照的に、応答認証デバイスが著しく高い消費電力を検出した場合、開始認証デバイスは、消費電力が異常であり、改ざんを示していると判断することができる。その判断は、ヘッドエンドシステムに送信し得る。
【００３７】
別の形態おいて、盗難システムは、加速度計または他のデバイスを使用して、電力計が物理的に傾いたか、または移動したかどうかを判定するように構成され得る。この場合、開始認証デバイスは、加速度計の動きをモニタし、閾値を超える動きが検出されると、開始認証デバイスはアラームを鳴らしてもよい。例えば、閾値は、１２０度または１８０度の回転など、予想される範囲を超える動きであってもよい。また、開始認証デバイスは、加速度計を有し、同じ場所にある他のメータに設置されている応答認証デバイスに問い合わせて、他のメータが傾いているか、又は移動しているかどうかを判断してもよい。
【００３８】
更に別の形態では、開始認証デバイスは、負荷と移動を測定し、一方の測定値を使用して他方の測定値を認証することができる。例えば、メータの移動を検出する検始認証デバイスは、移動したメータも異常に低い電力使用を測定しているかどうかを判断するために、同じ集合住宅内の複数の認証デバイスに亘って負荷検証を開始することができる。また、開始認証デバイスは、特定のデバイスが潜在的な改ざん状態を経験していることを識別し、追跡調査のためのメッセージをヘッドエンドシステムに通信してもよい。
【００３９】
ガスまたは水の分配システムにおいて、認証デバイス、漏れ、消費、資源の利用可能性、圧力、温度、または流量を測定することができる。例えば、開始認証デバイスは、ガス管のガス圧を測定することができる。開始認証デバイスは、異常に低い量のガス圧を検出する。開始認証デバイスは、応答認証デバイスに問い合わせを送信するが、そのうちのいくつかは下流に位置し、他のいくつかは開始認証デバイスから上流に位置する。ガスライン上の様々な場所で測定される圧力に基づいて、開始認証デバイスは、ガス漏れの凡その位置を判定し、適宜、ヘッドエンドシステムに警告を発することができる。
【００４０】
ステップ３０１において、方法３００は、資源の第１のパラメータの第１の測定値を閾値範囲の値と比較することを含む。例えば、開始認証デバイス１２３は、電圧を検出してもよく、１１５−１２５ボルトの範囲など、顧客の施設に関連付けられる電圧の範囲と比較してもよい。ステップ３０１で用いられる閾値範囲の値は、設置または構成プロセスの間に開始認証デバイスに提供されてもよいし、別のデバイスに問い合わせることによって取得されてもよい。範囲は、静的なものであっても、動的なものであってもよい。範囲は、過去の使用パターンに基づいて変化してもよい。この例では、人々が帰宅するにつれて需要が増加することから、平日の早い夕方の時間帯の住宅地では、範囲が異なっていてもよい。
【００４１】
ステップ３０２において、方法３００は、開始デバイスにおける範囲外の状態を判定することを含む。第１のパラメータの第１の測定値が閾値の範囲外である場合、開始デバイスは、範囲外の状態が開始デバイスに存在すると判定し、無線通信ネットワークを介して、応答認証デバイスのうちの少なくとも一つに問い合わせを送信し、少なくとも一つの認証デバイスによって測定される第１のパラメータの第２の測定値に関する情報を要求する。この例では、開始認証デバイスは、分配ライン１４３に沿って様々な点に位置する認証デバイスに問い合わせを送信してもよい。
【００４２】
ある形態において、問い合わせは、第１のパラメータの第２の測定値に対する要求を含む。応答認証デバイスは、応答認証デバイスにおける第１のパラメータの測定値を提供する。開始認証デバイスは、第２の測定値を受信して処理する。開始認証デバイスは、例えば、内部テーブルを参照したり、ヘッドエンドシステムにメッセージを送ったりすることで、第２の測定値の許容値を判定する。
【００４３】
別の形態では、問い合わせは、第１のパラメータの第２の測定値の要求と、第２の測定値の許容値とを含む。この構成では、開始認証デバイスは、応答認証デバイスにおける第２の測定値の許容値を知る必要は無い。その代わりに、応答認証デバイスは、開始認証デバイスに許容値を提供する。さらに別の形態では、応答認証デバイスは、「通常」または「警告」の表示を含むメッセージの形式で、開始認証デバイスからの問い合わせに応答する。この場合、開始認証デバイスは、第２の測定値が許容値を超えるかどうかを計算する必要はない。また、開始認証デバイスは、第２の測定値を受信した後に、追加の測定値、履歴データなどの更なる情報を要求することもできる。
【００４４】
別の形態では、開始認証デバイスは、開始認証デバイスと応答認証デバイスとの間で情報が共有される頻度に基づいて、異なる情報を要求することができる。例えば、この構成では、開始認証デバイスは、応答認証デバイスから第１のパラメータの第２の測定値に対する許容値を取得し、その後、一定のメッセージ数の後または一定の時間の後に、更新された許容値を受信することができる。メッセージは、異なるベンダのデバイス間の相互運用性を容易にするために、ＷｉＳＵＮのような標準フォーマットであってもよい。
【００４５】
ステップ３０３において、方法３００は、第１のパラメータの第２の測定値に関する情報を含む、応答認証デバイスの各々からの無線通信ネットワークを介する、問い合わせに対する応答を、受信することを含む。情報は、第２の測定値自体、又は、第２の測定値が範囲内であるか範囲外であるかの指示を、含み得る。応答認証デバイスは、開始認証デバイスからの問い合わせを受信したことに応答して、第１のパラメータの第２の測定値を検出してもよいし、以前に測定された値を用いてもよい。応答認証デバイスが、値が範囲内であるか範囲外であるかの指示で応答する場合、応答認証デバイスは、応答する前に、測定された値を、値の範囲、若しくは、閾値と、比較する。
【００４６】
ステップ３０４において、方法３００は、応答認証デバイスによって提供される情報が、開始認証デバイスによって検出される範囲外の状態と一致する場合に、状態を認証することを含む。
【００４７】
応答認証デバイスが第２の測定値を返すと、開始認証デバイスは、第２の測定値が範囲外の状態を示すかどうかを判定する。開始認証デバイスは、第１の測定値と、第１のパラメータの第２の測定値とを比較してもよいし、第２の測定値と、第２の測定値の閾値範囲とを比較してもよい。複数の応答認証デバイスがある場合、様々な比較若しくは判定が、様々なデバイスに対して、用いられてもよい。
【００４８】
閾値範囲が、第１の測定値及び第２の測定値に対して同じである場合、開始認証デバイスは、第１の測定値および第２の測定値を比較し、値が所定の許容範囲内にある場合、範囲外の状態を認証してもよい。許容値は、例えばインストールファイルによってデバイスにプログラムされてもよく、又は、時間をかけて調整されてもよく、クラウドソースされてもよく（即ち、他の認証デバイスから決定されてもよく）、又は、履歴データに基づいて決定されてもよい。 第２の測定値の閾値範囲が第１の測定値の範囲と異なる他の実施例では、開始認証デバイスは、第２の測定値を適切な閾値範囲と比較して、第２の測定値が範囲外の状態と一致しているかどうかを判定してもよい。この例では、応答認証デバイスが、許容電圧範囲が認証デバイス１２３の許容電圧範囲と異なる分配ライン１４３上の点に位置している場合、第２の測定値の閾値範囲は、第１の測定値の閾値範囲と異なる。１２０ボルトの配電システムのこの例では、上流の値の範囲は、１２０〜１３０ボルトであってもよい。
【００４９】
ステップ３０４で範囲外の状態が認証されると、方法はステップ３０５に進み、ここで、方法３００は、第１のパラメータを調整するために資源調節デバイスを制御することを含む。資源調節デバイスは、資源を制御、制限、切断、または接続することができる任意のデバイスである。この例では、資源調節デバイスは、電圧を調整することができる電圧レギュレータ、又は、電源をオフにすることができる電気メータであってもよい。或いは、資源調節デバイスは、負荷分散デバイスであってもよい。資源調節デバイスは、認証デバイスと同位置にあってもよいし、そうでなくてもよい。
【００５０】
範囲外の状態を認証することに応答して、他のタイプのアクションが実行されてもよい。範囲外の状態は、ヘッドエンドシステムによって対処されるものもあれば、ヘッドエンドシステムの承認を要求するものもある。その場合、認証デバイスは、認証される状態をヘッドエンドシステムに通知し、ヘッドエンドシステムによって指示された通りに進めることによって、措置を講じることができる。是正措置は、電話や電子メールなどの顧客への通知、顧客サービスウェブサイトへの掲示、アラームを鳴らすこと、又は、範囲外の状態のログを作成すること、等の形を、採ることもできる。例えば、ログをイベントで維持し、イベントの数や深刻度が一定のレベルに達すると、さらなる是正措置を講じることができる。
【００５１】
範囲外の状態がステップ３０４で認証されない場合、方法はステップ３０６に進み、方法３００は更なる認証が必要かどうかを判定することを含む。或る実施形態では、第２の測定値が範囲外の状態を示さない場合、開始認証デバイスは、更なる認証の試みが必要であると結論付けることができる。更なる認証の試みには、異なる応答認証デバイスへ問い合わせること、同じ応答認証デバイスへ別の問い合わせを送信すること、若しくは、異なるパラメータを測定することが、含まれ得る。従って、例えば、開始認証デバイスは、ステップ３０２に戻り、異なる応答認証デバイスに別の問い合わせを送信してもよい。或いは、開始認証デバイスは、ステップ３０３に戻り、他の応答認証デバイスからの応答を待ってもよい。
【００５２】
或いは、開始認証デバイスは、偽陽性を測定したと結論付けて、方法を終了してもよい。 更なる認証の試みを続行するかどうかの決定は、開始認証デバイス、ヘッドエンドシステム、若しくは、開始認証デバイスとヘッドエンドシステムとの両方の組み合わせ、によって、行われてもよい。
【００５３】
範囲外の状態を検証するために、図３で示した方法以外の方法を用いてもよい。開始認証デバイスは、複数の応答認証デバイスに問い合わせることができる。その場合、開始認証デバイスは、応答認証デバイスからの応答の全てが、開始ノードによって検出される範囲外の状態と一致していることを要求するように構成されてもよく、応答の大部分が一致していることを要求するように構成されてもよく、又は、応答の少なくとも最小限の数が一致していることを要求するように構成されてもよい。他の認証の要求も可能である。
【００５４】
検証は、範囲外の状態が存在するかどうかを判定するべく、従前に測定された値を考慮してもよい。例えば、ステップ３０２の第１の測定値に加えて、開始認証デバイスは、第１のパラメータについて一つ以上の従前に測定された値を考慮してもよい。
【００５５】
例示の通信ネットワーク
【００５６】
或る実施形態では、認証デバイスは、無線ネットワークを介して互いに通信する。図４は、図１の認証デバイスを接続する通信ネットワークの例示の無線ネットワークトポロジを示す。無線ネットワークトポロジ４００は、認証デバイス１２０〜１２７を含み、各認証デバイスは、通信ネットワーク上のノードに関連付けられ得る。認証デバイス１２０〜１２７は、接続若しくはリンク４２０〜４２９を介して互いに通信する。例えば、接続４２２は、認証デバイス１２０を認証デバイス１２１に接続する。接続４２４は、認証デバイス１２０を認証デバイス１２２に接続する。従って、認証デバイス１２０は、認証デバイス１２１と認証デバイス１２２との両方と、通信し得る。同様に、接続４２７は、認証デバイス１２５を認証デバイス１２２に接続する。接続４２８は、認証デバイス１２５を認証デバイス１２６に接続する。したがって、認証デバイス１２５は、認証デバイス１２６及び認証デバイス１２２と直接通信することができ、認証デバイス１２６及び接続４２９を介して認証デバイス１２７と通信することができる。通信ネットワークが無線メッシュネットワークである場合、デバイス間の接続は動的である。通信ネットワークは、認証デバイスに関連付けられていないノード（図示せず）を含んでもよい。
【００５７】
他の実施形態では、認証デバイスは、ＰＬＣ通信ネットワーク及びセルラ通信ネットワークを含む、他のタイプの通信ネットワークを用いて相互に通信する。
【００５８】
認証デバイステーブル
【００５９】
開始認証デバイスは、条件を認証するためにどの応答認証デバイスに問い合わせを行うかを決定するのに、テーブル若しくはリストを用い得る。異なる条件に対して異なるテーブルがあってもよいし、複数の条件に対して応答認証デバイスをリストアップした単一のテーブルがあってもよい。
【００６０】
図５は、２つの例示の認証デバイステーブル５０１、５０３を示す。テーブル５０１は、図２の認証デバイス２２４の認証デバイステーブルを表す。これは、エントリ５０１ａ−ｎを含み、各エントリは認証デバイスに対応する。この場合、エントリ５０２ａ−５０２ｂのみが入力される。各エントリ５０２ａ−５０２ｂは、応答認証デバイスに対応する。エントリ５０２ａは認証デバイス２２５に対応し、エントリ５０２ｂは認証デバイス２２０に対応する。テーブルは、分配ライン２４１、分配ライン２４２などの各デバイスの位置、電圧などの各デバイスによって測定されるパラメータ、及び、各デバイスのステータスに関する情報を含む。
【００６１】
テーブル５０３は、図２の認証デバイス２２１のための認証デバイステーブルを表す。エントリ５０４ａ−５０４ｃを含む。エントリ５０４ａは、分配ライン２４４上に配置される認証デバイス２２２に対応し、エントリ５０４ｂは、分配ライン２４５上に配置される認証デバイス２２３に対応し、エントリ５０４ｃは、分配ライン２４２上に配置される認証デバイス２２０に対応する。また、テーブルは、認証デバイス２２０が認証デバイス２２１の上流に位置しており、デバイスが電圧を測定していることを示している。
【００６２】
テーブルの情報は様々であってよく、図５に図示した情報以外の情報を含んでいてもよい。例えば、異なる条件に対して異なるテーブルが存在する場合、パラメータ情報はテーブルに含まれていなくてもよい。また、情報を表現する他の方法が用いられてもよい。例えば、位置は、ＧＰＳ座標によって記述されてもよいし、開始認証デバイスに対する相対的な位置であってもよい。
【００６３】
認証デバイスは、ヘッドエンドシステムから認証デバイステーブルを受信してもよいし、別のデバイスから認証デバイステーブルを受信してもよいし、認証デバイステーブルを構築してもよいし、又は、これらのアプローチの組み合わせを用いてもよい。認証デバイスは、認証デバイスから、若しくはヘッドエンドシステムから、位置情報を要求することによって別の認証デバイスの位置を判定してもよく、認証デバイスに送信されたメッセージの確認応答を受信するのにかかる時間を測定してもよく、又は、他のアプローチを用いてもよい。認証デバイステーブルは、通信ネットワーク若しくは資源分配ネットワークへのデバイスの加入と退出を反映するため、又は、デバイス、ネットワーク、若しくは測定されるパラメータにおける、他の変化を考慮するために、時間の経過とともに変更されてもよい。
【００６４】
認証デバイスが無線メッシュネットワークを用いて通信する場合、デバイスはネイバーテーブルを維持し、ネットワーク上の通信をルーティングするのにそれを使用してもよい。ルーティングに使用されるネイバーテーブルは、認証デバイステーブルとは独立していてもよく、別個のものであってもよい。例えば、認証デバイスは、近隣デバイスと通信してもよいが、条件を検証するために近隣デバイスに問い合わせを成し得ない。或いは、認証デバイスは、検出される状態を確認するために、単独で、若しくは、認証デバイステーブルにリストされたデバイスへの問い合わせに加えて、その近隣デバイステーブルにリストされたデバイスへの問い合わせを行ってもよい。認証デバイスが認証デバイステーブルを構築する場合、認証デバイスは、その近隣テーブル内のデバイスから情報を要求し、その情報を用いてテーブルを構築してもよい。
【００６５】
或る態様では、ヘッドエンドシステムは、資源分配ネットワークの認証デバイスの全てをリストアップした認証テーブルを維持してもよい。テーブルは、テーブル内の各認証デバイスのタイプを識別してもよい。認証デバイスの例示のタイプは、ベルウェザメータ、マスタデバイス、及びスレーブデバイスを含む。現下、資源分配ネットワークには、選択されたメータをベルウェザメータとして指定し、これらのメータから受信した情報を資源分配ネットワークの態様を管理するのに用いる。ベルウェザメータが開始認証デバイスでもある場合、ベルウェザメータは、一つ以上の応答認証デバイスに問い合わせを行うことで、ヘッドエンドシステムに情報を送信する前に情報の検証を行うことができる。開始認証デバイスでもあるベルウェザメータは、是正措置を講じることもできる。ベルウェザメータが応答認証デバイスである場合、開始認証デバイスからの問い合わせに応答してもよい。或る例では、開始認証ノードは、ベルウェザメータからの応答を非ベルウェザメータからの応答とは異なるように重み付けしてもよい。
【００６６】
認証デバイスがマスタデバイスとして指定された場合、スレーブデバイスからフィードバックまたは他の情報を収集し、そのフィードバックに基づいてアクションを採ってもよい。スレーブデバイスは、単独でアクションを採ることができなくてもよく、特定のタイプのアクションしか採ることができなくてもよく、更に、範囲外の状態を改善するためにアクションを採るようにマスタノードに依存するものであってもよい。分配ラインに沿って複数の認証デバイスが配置されている一例では、認証デバイスの内の一つがマスタであり、他の認証デバイスがスレーブである。
【００６７】
ヘッドエンドシステムは、その認証テーブルを用いて個々の認証デバイスのための認証テーブルを生成してもよい。個々の認証デバイスのための認証テーブルは、デバイスがインストールされたときにデバイスに提供されてもよいし、ヘッドエンドシステムからの通信を介してインストール後に提供または更新されてもよい。
【００６８】
認証デバイスと温度
【００６９】
図６は、多世帯の又はマルチテナントの、ビルにサービスを提供する例示の配電システムの一部を示す。システム６００は、６つの施設６５０〜６５５および６つの認証デバイス６１０〜６１５を含むが、任意の数が可能である。分配ライン６４０は、施設６５０〜６５５に電力を供給する。認証デバイス６１０は施設６５０に接続され、認証デバイス６１１は施設６５１に接続されている。この例では、認証デバイスは、温度を測定する温度センサを含む電気メータであり、互いに近接している、即ち、建物の同じ壁に沿って配置されているような、同じ領域に配置されている。
【００７０】
電気システムでは、接続が不良で電流が流れすぎると、過大な電流が、接続を危険なレベルまで加熱し、ホットソケット状態を引き起こす可能性がある。デバイスは、ホットソケットが検出されたときに電源を切断するように構成されていてもよい。しかしながら、高温を引き起こす他の状態は、電源を切断する必要はない。認証デバイスは、他の認証デバイスに問い合わせることによって、これらのタイプの状態を区別することができ得る。例えば、認証デバイス６１０が高温を検出した場合、認証デバイスは、高温が、太陽光への長時間の曝露などの環境要因によるものであるかどうかを判定するために、同じ領域に位置する他の認証デバイスに問い合わせてもよい。応答認証デバイスが、それらも高温を検知していることを示している場合、認証デバイス６１０は、ホットソケット状態が存在するとは判定しないかもしれない。複数のメータがホットソケット状態を経験している可能性は、複数のメータが環境要因により高温を経験している可能性よりも遥かに小さい。
【００７１】
例示の認証デバイス
【００７２】
図７は、例示の認証デバイスを示す。本明細書に記載する動作を実行するために、任意の適切なコンピューティングシステムを用いることができる。図示する例示の認証デバイス７００は、一つ又はそれ以上のメモリデバイス７０４に通信上結合するプロセッサ７０２を含む。プロセッサ７０２は、メモリデバイス７０４に格納されるコンピュータ実行可能なプログラムコード７３０を実行するか、メモリデバイス７０４に格納されるデータ７２０にアクセスするか、又は、その両方を実行する。プロセッサ７０２の例は、マイクロプロセッサ、特定用途向け集積回路（「ＡＳＩＣ」）、フィールドプログラマブルゲートアレイ（「ＦＰＧＡ」）、又は、任意の他の適切な処理デバイスを含む。プロセッサ７０２は、単一の処理デバイスを含む任意の数の処理デバイス又はコアを含み得る。認証デバイスの機能は、ハードウェア、ソフトウェア、ファームウェア、若しくはそれらの組み合わせで実装され得る。
【００７３】
認証デバイス７００は、資源分配ネットワークの資源に関連するパラメータを測定するように構成された少なくとも一つのセンサ７５０を含む。例えば、電力分配システムでは、センサ７５０は、消費電力、電圧、電流などを測定し得る。ガス分配システムでは、センサ７５０は、ガス漏れをチェックし得る。或る形態では、認証デバイス７００は、複数のセンサを含み得る。例えば、認証デバイス７００は、電力センサと温度センサの両方を含んでもよい。
【００７４】
認証デバイス７００は、少なくとも一つの資源調節デバイス７１１を含んでもよい。資源調節デバイス７１１は、電力、水、ガスなどの資源を制御するように構成される。資源調節デバイス７１１は、資源を切断、再接続、低速化、高速化、またはその他の方法で調整してもよい。或る実施形態では、資源調節デバイス７１１は、認証デバイス７００から遠隔に配置されてもよい。
【００７５】
メモリデバイス７０４は、データ、プログラムコード、又はその両方を記憶するための任意の適切な非一過性のコンピュータ可読媒体を含む。コンピュータ可読媒体は、コンピュータ可読命令または他のプログラムコードをプロセッサに提供することができる任意の電子的、光学的、磁気的、又は他の記憶装置を含み得る。コンピュータ可読媒体の非限定的な例としては、フラッシュメモリ、ＲＯＭ、ＲＡＭ、ＡＳＩＣ、又は、処理デバイスが命令を読み取ることができる任意の他の媒体が挙げられる。命令は、例えば、Ｃ、Ｃ++、Ｃ＃、Ｖｉｓｕａｌ  Ｂａｓｉｃ、Ｊａｖａ、又はスクリプト言語を含む、任意の適切なコンピュータプログラミング言語で書かれたコードから、コンパイラまたはインタプリタによって生成されたプロセッサ固有の命令を含み得る。
【００７６】
認証デバイス７００はまた、インプットデバイス又はアウトプットデバイスなどの、多数の外部デバイス又は内部デバイスを含んでもよい。例えば、認証デバイス７００は、一つ以上のインプット／アウトプット（Ｉ／Ｏ）インタフェース７０８を備えるように示されている。Ｉ／Ｏインタフェース７０８は、インプットデバイスからインプットを受け取ることや、アウトプットデバイスにアウトプットを提供することが、できる。一つ以上のバス７０６もまた、認証デバイス７００に含まれる。バス７０６は、認証デバイス７００の夫々の、一つ以上のコンポーネントを通信上結合する。
【００７７】
認証デバイス７００は、診断ポート７０７を含んでもよい。診断ポート７０７は、例えば、機器ベンダ又は公共企業によって、認証デバイスが正しく動作しているかどうか判定するのに、若しくは、問題を診断して解決するのに、又は、認証デバイス７００のファームウェアのアップグレードを実行するのに、使用され得る。
【００７８】
認証デバイス７００は、プロセッサ７０２が本明細書に記載の一つ以上の動作を実行するように構成するプログラムコード７３０を実行する。例えば、プログラムコード７３０は、図３に記載する動作をプロセッサに実行させる。
【００７９】
認証デバイス７００は、また、ネットワークインタフェースデバイス７１０を含む。ネットワークインタフェースデバイス７１０は、一つ以上のデータネットワークへの有線又は無線のデータ接続を確立するのに適した任意のデバイス若しくはデバイス群を含む。ネットワークインタフェースデバイス７１０は、無線デバイスであってもよく、アンテナ７１４を有してもよい。認証デバイス７００は、ネットワークインタフェースデバイス７１０を用いて、データネットワークを介して、認証デバイス又は他の機能を実装する一つ以上の他のコンピューティングデバイスと通信することができる。
【００８０】
認証デバイス７００は、表示デバイス７１２も含み得る。表示デバイス７１２は、認証デバイス７００に関する情報を表示するように動作可能なＬＣＤ、ＬＥＤ、タッチスクリーン、又は、他のデバイスであればよい。例えば、情報には、認証デバイスの動作ステータス、ネットワークステータス等が含まれ得る。
【００８１】
他の認証デバイスと組み合わせると、認証デバイスは、より強力で有用なものとなる。例えば、他の認証デバイスに問い合わせを行う認証デバイスは、任意の判定または是正措置の根拠となる、より多くの情報を持っている。例えば、同じ分配ライン上の別の認証デバイスに問い合わせできる認証デバイスは、ネットワーク全体が資源にアクセスできないと結論付けるのではなく、資源の利用不能は一つの施設若しくはブロックに限定されていると正しく結論付けることができる。更に、認証デバイスは、偽陽性イベントを検出することができ、例えば、ある認証デバイス上の不良センサは、近くの認証デバイスから測定されるパラメータによって検証することができる。
【００８２】
認証デバイスは、従来の資源分配ネットワーク上のパラメータ以外のパラメータを測定し得る。例えば、認証デバイスは、公共資源の利用可能性を測定することができる。例えば、街灯に設置される認証デバイスは、街灯が動作中であるか、又は、例えば、照明素子の故障のために、街灯が動作を停止したか、を測定することができる。また、認証デバイスは、環境汚染物質を測定することができる。例えば、街灯に設置される認証デバイスは、スモッグを測定し、同じくスモッグを測定している他の認証デバイスと通信し、スモッグの範囲を判定できる。同様に、認証デバイスは、家庭内メタンセンサでもあり得る。是正措置は、供給停止の範囲／汚染の領域を判定して、収集されたイベントに基づいて境界線を作成するための、ネットワークへの信号であってもよい。
【００８３】
認証デバイスは、任意のタイプの状態を検出して検証するように構成されていてもよい。上述では、範囲外の状態の検出および検証を説明したが、本発明は、許容範囲内の状態を含む、他のタイプの状態の検出および検証も、含む。
【００８４】
本開示の主旨をその特定の形態に関して詳細に記載したが、当業者であれば、上述の理解を得た上で、そのような形態に対する代替物、変形物、および均等物を、容易に作り出すことができることが理解されるであろう。したがって、本開示は、限定ではなく例示を目的として提示されるものであり、当技術分野の通常の技術者には容易に明らかであるような、本開示の主旨に対する変更、変形、及び／又は追加を含めることを排除するものではない、ということが理解されるべきである。
【図１】
2021507670.tif 000003
【図２】
2021507670.tif 000004
【図３】
2021507670.tif 000005
【図４】
2021507670.tif 000006
【図５】
2021507670.tif 000007
【図６】
2021507670.tif 000008
【図７】
2021507670.tif 000009
【国際調査報告】
2021507670.tif 000010
2021507670.tif 000011
2021507670.tif 000012
2021507670.tif 000013
2021507670.tif 000014